(57)【要約】【課題】居室への空調空気の輸送に空調ダクトを用いなくても、複数の居室を好適に空調する。【解決手段】建物１０は、居室１４、廊下１５及び機械室２２を有しており、居室１４及び機械室２２は廊下１５に対して間仕切壁１１により仕切られている。機械室２２には空調室内機２１が設置されており、空調室内機２１は、空調空気を廊下１５の天井面に沿って流れるように吹出部から吹き出させる。間仕切壁１１における居室１４と廊下１５とを仕切る部分には、廊下１５の天井面に沿って流れてきた空調空気を居室１４に流入させる流入部が設けられている。流入部には流入ファン５４が設けられており、流入ファン５４が駆動することで空調空気が流入部を通じて居室１４に強制的に流れ込むことになる。【選択図】      図１
2014119196.tif 000002
【特許請求の範囲】
【請求項１】
互いに隣り合う廊下と居室とを仕切る間仕切壁を備え、前記居室の空調を行う空調設備が設置されている建物であって、
前記空調設備は、空調空気を前記廊下の天井面に沿って流れるように吹き出す位置、又は前記廊下の床面に沿って流れるように吹き出す位置に吹出部を有しており、
前記間仕切壁には、前記天井面に沿って流れる前記空調空気を前記居室内に流入させる位置、又は前記床面に沿って流れる前記空調空気を前記居室内に流入させる位置に流入部が設けられていることを特徴とする建物。
【請求項２】
前記吹出部は、前記空調空気を前記廊下の天井面に沿って流れるように吹き出す位置に設けられており、
前記流入部は、前記天井面に沿って流れる前記空調空気を前記居室内に流入させる位置に設けられており、
前記廊下には、前記空調空気が前記天井面に沿って流れて前記流入部に達するように、当該空調空気を案内する案内手段が設けられていることを特徴とする請求項１に記載の建物。
【請求項３】
前記廊下の天井は、下側天井部と、該下側天井部よりも高い位置に天井面を形成する上側天井部とを有しており、
前記吹出部は、前記空調空気を前記廊下の天井面のうち前記上側天井部の天井面に沿って流れるように吹き出す位置に設けられており、
前記下側天井部は、当該下側天井部の側面に沿って流れる前記空調空気を案内するものであり、前記案内手段に含まれていることを特徴とする請求項２に記載の建物。
【請求項４】
前記吹出部は、前記下側天井部よりも高い位置に設けられていることを特徴とする請求項３に記載の建物。
【請求項５】
前記下側天井部の天井面は、前記居室の天井面よりも低い位置に配置されており、
前記流入部は、前記下側天井部の天井面よりも高い位置において前記間仕切壁を貫通している通気孔を有していることを特徴とする請求項３又は４に記載の建物。
【請求項６】
前記下側天井部と前記上側天井部との間には、前記間仕切壁に向けて凹んだ凹部が、前記上側天井部の天井面に沿って延びるように設けられていることを特徴とする請求項３乃至５のいずれか１項に記載の建物。
【請求項７】
前記凹部は、前記吹出部の吹き出し方向に沿って延びるように設けられており、
前記吹出部は、前記空調空気が前記上側天井部の天井面に沿って流れるように、該空調空気を前記凹部内に吹き出す位置に設けられていることを特徴とする請求項６に記載の建物。
【請求項８】
前記廊下は、第１廊下部と、該第１廊下部から分岐している第２廊下部とを有しており、
前記吹出部は、前記空調空気が前記第１廊下部と前記第２廊下部との分岐部分を介してそれら廊下部に向けて流れるように、当該空調空気を吹き出す位置に設けられており、
前記案内手段は、前記第１廊下部及び前記第２廊下部を対象として前記空調空気の案内先を振り分ける振分手段を有していることを特徴とする請求項２乃至７のいずれか１項に記載の建物。
【請求項９】
前記流入部には、前記空調空気を前記廊下から当該流入部を通じて前記居室に流入させる流入ファンを備えていることを特徴とする請求項１乃至８のいずれか１項に記載の建物。
【請求項１０】
前記空調設備は、前記廊下の空気を還気として取り込む還気部を有しており、
前記間仕切壁には、前記居室の空気を前記廊下に流れ出させる流出部が設けられており、
前記空調空気が前記廊下の天井面に沿って流れる構成では、前記還気部が前記吹出部の下方に配置され、前記流出部が前記流出部の下方に配置されており、前記空調空気が前記廊下の床面に沿って流れる構成では、前記還気部が前記吹出部の上方に配置され、前記流出部が前記流出部の上方に配置されていることを特徴とする請求項１乃至９のいずれか１項に記載の建物。
【発明の詳細な説明】
【技術分野】
【０００１】
本発明は、空調設備を備える建物に関するものである。
【背景技術】
【０００２】
住宅等の建物においては、リビング等の居室にエアコン等の空調装置が設置されている場合、その空調装置が運転されることにより居室の空調が行われる。例えば、特許文献１では、居室の壁部に壁掛けタイプの空調室内機が取り付けられているとともに、空調室内機を下方から覆い隠した状態で送風板が取り付けられた構成が開示されている。この構成では、空調室内機から吹き出される空調空気により空調が行われるとともに、空調空気により温度変化した送風板からの輻射冷熱により空調効果が得られる。
【先行技術文献】
【特許文献】
【０００３】
【特許文献１】特開２０１２−１３７２３７号公報
【発明の概要】
【発明が解決しようとする課題】
【０００４】
しかしながら、上記特許文献１の構成では、空調室内機による空調対象をその空調室内機が設置された居室としており、空調室内機による空調対象に他の居室も加えるには、空調室内機に空調ダクトを接続し、その空調ダクトを通じて他の居室に空調空気を輸送する必要が生じる。ここで、空調空気の輸送に空調ダクトを用いる構成においては、その空調ダクトが天井裏空間に設置されていることが想定されるが、天井裏空間に空調ダクトの設置スペースを確保することで、その分だけ天井の高さ位置が下がって居室等の居住空間が狭くなるということが懸念される。
【０００５】
本発明は、上記事情に鑑みてなされたものであり、居室への空調空気の輸送に空調ダクトを用いなくても、複数の居室を好適に空調することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物は、互いに隣り合う廊下と居室とを仕切る間仕切壁を備え、前記居室の空調を行う空調設備が設置されている建物であって、前記空調設備は、空調空気を前記廊下の天井面に沿って流れるように吹き出す位置、又は前記廊下の床面に沿って流れるように吹き出す位置に吹出部を有しており、前記間仕切壁には、前記天井面に沿って流れる前記空調空気を前記居室内に流入させる位置、又は前記床面に沿って流れる前記空調空気を前記居室内に流入させる位置に流入部が設けられていることを特徴とする。
【０００８】
第１の発明によれば、居室への空調空気の輸送に廊下の内部領域が用いられており、建物内において廊下に隣接する居室には廊下を介して空調空気を供給できる。この場合、空調空気を複数の居室に供給する構成を実現することを想定しても、廊下や居室の天井裏空間に居室ごとに空調ダクトを設置する必要がない。したがって、天井裏空間を拡張することにより廊下や居室といった居住空間が狭くなるということを回避できる。しかも、空調空気は廊下の天井面又は床面に沿って流れることでそのまま居室に流れ込むようになっているため、空調空気が廊下の内部領域の全体に拡散しにくくなっている。このため、空調空気による空調効果が廊下に付与されて居室での空調効率が低下するということを抑制できる。以上により、居室への空調空気の輸送に空調ダクトを用いなくても、複数の居室を好適に空調することが可能となる。
【０００９】
第２の発明では、第１の発明において、前記吹出部は、前記空調空気を前記廊下の天井面に沿って流れるように吹き出す位置に設けられており、前記流入部は、前記天井面に沿って流れる前記空調空気を前記居室内に流入させる位置に設けられており、前記廊下には、前記空調空気が前記天井面に沿って流れて前記流入部に達するように、当該空調空気を案内する案内手段が設けられている。
【００１０】
第２の発明によれば、空調空気が廊下の天井面に沿って流れる構成において、空調空気が案内手段により案内されることで居室に流れ込みやすくなっているため、居室での空調効率を高めることができる。しかも、空調空気が天井面に沿って流れるようにする構成では、その空調空気を案内する案内手段が廊下の上側空間に設けられていればよく、人が廊下を通る際に案内手段が支障になるということを抑制できる。つまり、案内手段により廊下の使い勝手が低下することを抑制することができる。
【００１１】
第３の発明では、第２の発明において、前記廊下の天井は、下側天井部と、該下側天井部よりも高い位置に天井面を形成する上側天井部とを有しており、前記吹出部は、前記空調空気を前記廊下の天井面のうち前記上側天井部の天井面に沿って流れるように吹き出す位置に設けられており、前記下側天井部は、当該下側天井部の側面に沿って流れる前記空調空気を案内するものであり、前記案内手段に含まれている。
【００１２】
第３の発明によれば、天井の一部が折り上げられることで折り上げ部分が形成された廊下において、空調空気が上側天井部の天井面に沿って流れているため、空調空気が下側天井部の天井面に沿って流れている場合に比べて、空調空気の拡散を抑制でき、その結果、居室に対する空調効率を高めることができる。また、この場合、人が廊下を通った場合にその通行により空調空気の流れが妨げられにくくなっているため、居室に流れ込む空調空気の量が低下すること、すなわち、居室の空調効率が低下することを抑制できる。
【００１３】
第４の発明では、第３の発明において、前記吹出部は、前記下側天井部よりも高い位置に設けられている。
【００１４】
第４の発明によれば、吹出部が下側天井部の天井面と上側天井部の天井面との間の高さ位置に配置されることで、空調空気が上側天井部の天井面に沿って流れやすい構成を実現できる。
【００１５】
第５の発明では、第３又は第４の発明において、前記下側天井部の天井面は、前記居室の天井面よりも低い位置に配置されており、前記流入部は、前記下側天井部の天井面よりも高い位置において前記間仕切壁を貫通している通気孔を有している。
【００１６】
第５の発明によれば、廊下において空調空気が上側天井部の天井面に沿って流れている場合に、その空調空気が流入部から居室に流れ込みやすい構成を実現できる。この場合、流入部が下側天井部よりも低い位置に配置されている構成とは異なり、下側天井部の天井面よりも高い位置に存在する空調空気が居室に流れ込みにくくなって居室の空調効率が低下するという不都合を抑制できる。
【００１７】
第６の発明では、第３乃至第５のいずれかの発明において、前記下側天井部と前記上側天井部との間には、前記間仕切壁に向けて凹んだ凹部が、前記上側天井部の天井面に沿って延びるように設けられている。
【００１８】
第６の発明によれば、天井の折り上げ部分の内部領域において、空調空気が凹部の内部を流れることになるため、その空調空気が下側天井部よりも下方に拡散することを抑制できる。しかも、凹部の内部に照明器具を設置することで廊下に間接照明を構築することができるため、凹部の内部を空調空気を流すための専用領域とするのではなく、空調空気を流すためのスペース、及び照明器具を設置するためのスペースの両方として利用することができる。
【００１９】
なお、空調空気が冷房を行うための冷房空気である場合、その冷房空気は流下しやすいため、上側天井部の天井面に沿って流れる冷房空気が流下することを下側天井部により規制することは、居室の冷房効率を高める上で効果的である。
【００２０】
第７の発明では、第６の発明において、前記凹部は、前記吹出部の吹き出し方向に沿って延びるように設けられており、前記吹出部は、前記空調空気が前記上側天井部の天井面に沿って流れるように、該空調空気を前記凹部内に吹き出す位置に設けられている。
【００２１】
第７の発明によれば、空調空気が折り上げ部分の内部領域のうち凹部の内部領域に向けて吹き出されるため、空調空気の流下を下側天井部により規制する構成を実現できる。
【００２２】
第８の発明では、第２乃至第７のいずれかの発明において、前記廊下は、第１廊下部と、該第１廊下部から分岐している第２廊下部とを有しており、前記吹出部は、前記空調空気が前記第１廊下部と前記第２廊下部との分岐部分を介してそれら廊下部に向けて流れるように、当該空調空気を吹き出す位置に設けられており、前記案内手段は、前記第１廊下部及び前記第２廊下部を対象として前記空調空気の案内先を振り分ける振分手段を有している。
【００２３】
第８の発明によれば、空調空気を複数の居室に供給する構成において、空調空気の供給先を切り替えることができる。つまり、空調対象となる居室を適宜選択することができる。
【００２４】
第９の発明では、第１乃至第８のいずれかの発明において、前記流入部には、前記空調空気を前記廊下から当該流入部を通じて前記居室に流入させる流入ファンを備えている。
【００２５】
第９の発明によれば、流入ファンを駆動させることで居室に流れ込む空調空気の量を増加させることができ、ひいては、居室の空調効率を高めることができる。
【００２６】
第１０の発明では、第１乃至第９のいずれかの発明において、前記空調設備は、前記廊下の空気を還気として取り込む還気部を有しており、前記間仕切壁には、前記居室の空気を前記廊下に流れ出させる流出部が設けられており、前記空調空気が前記廊下の天井面に沿って流れる構成では、前記還気部が前記吹出部の下方に配置され、前記流出部が前記流出部の下方に配置されており、前記空調空気が前記廊下の床面に沿って流れる構成では、前記還気部が前記吹出部の上方に配置され、前記流出部が前記流出部の上方に配置されている。
【００２７】
第１０の発明によれば、廊下と居室とにおいて空調空気が循環しやすい構成を実現できる。これにより、居室の空調効率を高めることができる。
【図面の簡単な説明】
【００２８】
【図１】建物の間取りを示す平面図
【図２】図１のＡ−Ａ線断面図
【図３】図３は図１のＢ−Ｂ線断面
【図４】図１のＣ−Ｃ線断面図
【図５】別の廊下の縦断面図
【図６】別の廊下の縦断面図
【図７】別の建物の平面図
【発明を実施するための形態】
【００２９】
以下、本発明を具体化した一実施形態について図面を参照しつつ説明する。本実施形態では、本発明を全館空調システムが構築されている建物として具体化している。図１は建物１０の間取りを示す平面図、図２は図１のＡ−Ａ線断面図、図３は図１のＢ−Ｂ線断面図、図４は図１のＣ−Ｃ線断面図である。なお、図１においては、全館空調システムに関する電気的な構成を示すブロック図を図示している。
【００３０】
図１に示すように、住宅等の建物１０は、屋内空間を複数の居住空間に仕切る間仕切壁１１を有しており、複数の居住空間には、リビングや寝室等の居室１４と、廊下１５とが含まれている。居室１４としては、第１居室１４Ａ、第２居室１４Ｂ、第３居室１４Ｃ、第４居室１４Ｄがあり、これら居室１４Ａ〜１４Ｄはいずれも間仕切壁１１を挟んで廊下１５に隣接している。居室１４Ａ〜１４Ｄには、廊下１５からの出入りを可能とする出入口１６がそれぞれ設けられており、各出入口１６は、間仕切壁１１における居室１４Ａ〜１４Ｄと廊下１５とを仕切る部分にそれぞれ配置されている。各出入口１６には、開閉可能な開き戸等のドア１７が取り付けられている。
【００３１】
建物１０においては全館空調システムが構築されている。全館空調システムは、エアコン等のヒートポンプ式の空調設備を有しており、空調設備には、屋内に設置された空調装置としての空調室内機２１と、屋外に設置された空調室外機（図示略）とを有している。空調室内機２１は、空調空気を生成することが可能となっており、全館空調システムにおいては、空調空気が空調室内機２１から廊下１５を介して居室１４Ａ〜１４Ｄに供給されるようになっている。
【００３２】
機械室２２は、廊下１５を挟んで第１居室１４Ａの反対側に配置されており、廊下１５は、機械室２２と第１居室１４Ａとの並び方向を長手方向として延びるように配置されている。機械室２２は、第３居室１４Ｃと第４居室１４Ｄとの間に配置されている。また、第２居室１４Ｂは廊下１５に沿って第３居室１４Ｃに横並びに配置されており、廊下１５は、第２居室１４Ｂ及び第３居室１４Ｃと第４居室１４Ｄとの間に配置されている。
【００３３】
図２、図３に示すように、廊下１５には照明器具２５が設置されており、廊下１５においては照明器具２５により間接照明が構成されている。廊下１５の廊下天井３１は、下側天井部３４と、その下側天井部３４よりも高い位置に天井面を形成する上側天井部３５とを有しており、下側天井部３４と上側天井部３５との間に照明器具２５が設置されている。この場合、光源としての照明器具２５が下側天井部３４により下方から覆い隠された状態になっている。
【００３４】
廊下１５の廊下天井３１には、その一部が上方に向けて凹状に折り上げられた折り上げ部分と、折り上げられていない非折り上げ部分とが設けられており、非折り上げ部分により下側天井部３４が形成され、折り上げ部分により上側天井部３５が形成されている。ここで、折り上げ部分の内部空間を折り上げ領域３６とした場合、その折り上げ領域３６は、廊下１５において下側天井部３４の天井面よりも上方の領域に相当する。
【００３５】
なお、上側天井部３５の天井面は、居室１４Ａ〜１４Ｄの各居室天井４１の天井面と同じ高さ位置に配置されており、上側天井部３５を基準にすれば、廊下天井３１が下がり天井を有していると言うこともできる。この場合、基準となる上側天井部３５が非下がり天井を形成しており、下がり天井を下側天井部３４が形成していることになる。
【００３６】
廊下天井３１においては、折り上げ部分から外側に向けて凹んだ凹部３８が形成されており、その凹部３８の内部領域が照明器具２５の設置スペースとされている。凹部３８は、下側天井部３４と上側天井部３５との段差部分において、下側天井部３４の側面をその下側天井部３４の内側に向けて凹ませた状態になっており、下側天井部３４と上側天井部３５との間に配置されていることになる。この場合、凹部３８の内部領域は折り上げ領域３６に含まれている。
【００３７】
下側天井部３４は、上側天井部３５から下方に離間した位置において、間仕切壁１１から廊下１５側に向けて延びており、凹部３８は、下側天井部３４、上側天井部３５及び間仕切壁１１により形成されている。凹部３８の内周面においては、その凹部３８の開放側を挟んで上下に対向する一対の対向面のうち、上側の対向面が上側天井部３５の下面（天井面）により形成され、下側の対向面が下側天井部３４の上面により形成されている。また、凹部３８における開放側とは反対側の面が間仕切壁１１の側面（壁面）により形成されている。
【００３８】
下側天井部３４は、上側天井部３５よりも低い位置に配置されている一方で、出入口１６よりも高い位置に配置されている。つまり、下側天井部３４は、上側天井部３５と出入口１６との間に配置されている。このため、廊下天井３１が下側天井部３４を有していても、住人等が出入口１６を出入りする際に下側天井部３４が邪魔にならないようになっている。
【００３９】
下側天井部３４及び上側天井部３５は、天井小梁や野縁等の天井下地材と、天井下地材に取り付けられた石膏ボード等の天井面材とを含んで構成されている。下側天井部３４における凹部３８を形成する部分においては、載置面を形成する石膏ボード等の載置板が天井下地材の上に設置されており、その載置板の上に照明器具２５が載置されている。これにより、下側天井部３４の上に設置された照明器具２５が不安定な状態になることを抑制できる。
【００４０】
下側天井部３４には、その先端（間仕切壁１１とは反対側の端部）から上方に向けて起立した起立部３９が設けられている。起立部３９は、下側天井部３４の上に設置された照明器具２５が凹部３８の開放側を通じて斜め下方に露出しないように隠す目隠し部としての機能を有している。これにより、廊下１５において光源としての照明器具２５が住人等の視界に入ることを抑制できる。
【００４１】
間仕切壁１１においては、下側天井部３４の上方及び下方の両方において、壁下地材に対して石膏ボード等の壁面材が取り付けられている。また、間仕切壁１１においては、下側天井部３４と上側天井部３５との間の上端寄りの部分が、下側天井部３４の下方部分よりも廊下１５側に向けて突出しており、その下方部分に比べて厚み寸法が大きくなっている。この場合、廊下１５の幅方向において、下側天井部３４の天井面よりも上方の領域の幅寸法が、下側天井部３４の天井面よりも下方の領域の幅寸法よりも小さくなっている。なお、間仕切壁１１においては、下側天井部３４の上方部分が下方部分よりも廊下１５側に突出した構成とされていなくてもよい。
【００４２】
図１〜図４に示すように、下側天井部３４は、廊下１５の周縁部に沿って延びており、折り上げ領域３６は、下側天井部３４により四方から囲まれた状態になっている。この場合、折り上げ領域３６は、廊下１５の長手方向に沿って延びていることになる。また、下側天井部３４と同様に、凹部３８及び起立部３９も廊下１５の周縁部に沿って延びている。なお、間仕切壁１１からの下側天井部３４の突出寸法は、廊下１５の幅寸法の１／２よりも小さくなっている。
【００４３】
本実施形態では、機械室２２の空調室内機２１から廊下１５に空調空気が吹き出され、その空調空気が廊下天井３１の天井面に沿って流れて居室１４Ａ〜１４Ｄに流れ込み、居室１４Ａ〜１４Ｄの空調が行われるようになっている。
【００４４】
図４に示すように、空調設備において空調室内機２１には、生成した空調空気を廊下１５に吹き出す吹出部５１と、廊下１５の空気を還気として取り込む還気部５２とが、それぞれ空調ダクトを介して接続されている。吹出部５１及び還気部５２は、それぞれグリルを含んで構成されており、廊下１５と機械室２２との間の間仕切壁１１を貫通した開口部にそれぞれ取り付けられている。なお、空調室内機２１は、電気モータを含んで構成された空調ファンを有しており、空調ファンを駆動させることで、吹出部５１から空調空気を吹き出すとともに還気部５２から還気を取り込む。
【００４５】
吹出部５１は、廊下１５の下側天井部３４の天井面よりも高い位置において、その下側天井部３４と上側天井部３５との間に配置されている。この場合、吹出部５１は上側天井部３５の天井面付近に配置されていることになる。吹出部５１においては、空調空気を吹き出す向きが廊下１５の長手方向と平行になるように、且つ水平方向又はそれよりも少し斜め上方となるようにグリル等により設定されている。吹出部５１は、空調空気を折り上げ領域３６の内部に向けて吹き出すことになり、吹き出された空調空気は、吹出部５１とは廊下１５を挟んで反対側にある第１居室１４Ａに向けて、上側天井部３５の天井面に沿って流れることになる。この場合、下側天井部３４は、空調空気の流れを案内する案内手段を構成している。
【００４６】
還気部５２は、吹出部５１よりも下方に配置されている。還気部５２は、例えば廊下１５の床面付近に配置されており、廊下１５の床面付近の空気が、吹出部５１からの空調空気の吹き出しに伴って取り込まれるようになっている。なお、廊下１５の空気はドア１７のアンダーカットを通じて還気部５２から取り込まれてもよく、この場合は、還気部５２がドア１７のアンダーカットを有していることになる。
【００４７】
図２に示すように、廊下１５の幅方向において、吹出部５１は両端寄りの位置にそれぞれ配置されており、還気部５２は中間位置に配置されている。各吹出部５１は、下側天井部３４における廊下１５の長手方向に沿って延びている部分の上方に配置されており、それら吹出部５１から吹き出された空調空気は、凹部３８の内周面に沿って廊下１５の長手方向に流れる。この場合、空調空気が下側天井部３４の下方に向けて流下することがその下側天井部３４により規制され、空調空気が折り上げ領域３６の開放部分から下方に流れ出にくくなっている。なお、下側天井部３４が、空調空気の流下を規制する規制手段に相当する。また、この場合、空調空気が凹部３８から流れ出ること自体が起立部３９により規制され、空調空気は凹部３８から側方に流れ出にくくなっている。
【００４８】
図４の説明に戻り、間仕切壁１１には、空調空気を廊下１５から居室１４Ａ〜１４Ｄに流入させることが可能な流入部５３が設けられている。流入部５３は、間仕切壁１１を貫通する通気孔と、その通気孔に取り付けられたグリルとを有している。流入部５３は、吹出部５１と同様に、廊下１５の下側天井部３４の天井面よりも高い位置において、その下側天井部３４と上側天井部３５との間に配置されている。この場合、流入部５３は上側天井部３５の天井面付近に配置されていることになり、折り上げ領域３６内を上側天井部３５に沿って流れてきた空調空気は、流入部５３を通じて居室１４Ａ〜１４Ｄに流れ込むことになる。
【００４９】
流入部５３には、廊下１５の空気を強制的に居室１４Ａ〜１４Ｄに流入させる流入ファン５４が設けられている。流入ファン５４は、電気モータを含んで構成されており、回転することで流入部５３における通気量を増加させることができる。
【００５０】
居室１４Ａ〜１４Ｄのドア１７には、居室１４Ａ〜１４Ｄ内の空気を廊下１５に流出させることが可能な流出部５５が設けられている。流出部５５は、ドア１７を貫通する通気孔と、その通気孔に取り付けられたグリルとを有している。ここで、ドア１７は間仕切壁１１の出入口１６に設けられているため、流出部５５は、ドア１７に設けられている場合でも間仕切壁１１に設けられていることになる。流出部５５は、流入部５３よりも下方に配置されている。流出部５５は、例えば居室１４Ａ〜１４Ｄの床面付近に配置されており、居室１４Ａ〜１４Ｄの床面付近の空気が、流入部５３からの空調空気の流入に伴って流出部５５を通じて廊下１５に流れ出るようになっている。なお、流出部５５は、ドア１７のアンダーカットとされていてもよい。
【００５１】
第１居室１４Ａ、第３居室１４Ｃ及び第４居室１４Ｄにおいては、流入部５３が出入口１６の真上に配置されており、それによって、流入部５３と流出部５５とが上下に並べられている。一方、第２居室１４Ｂにおいては、流入部５３が出入口１６の真上には配置されておらず、それによって、流入部５３と流出部５５とが上下に並ばずに左右にずれた位置関係になっている（図１、図３参照）。流入部５３と流出部５５とが上下に並んでいないことで、流入部５３から第２居室１４Ｂに流れ込んだ空調空気が、流出部５５から廊下１５に流れ出る前に第２居室１４Ｂの全体に行き渡りやすくなることが期待できる。
【００５２】
図３に示すように、廊下１５の幅方向において、第１居室１４Ａの流入部５３は、上側天井部３５の天井面に沿って延びている。この場合、流入部５３は、廊下１５の幅方向において両端側に配置された各凹部３８のそれぞれに入り込んだ状態になっており、各凹部３８内を流れてきた空調空気、及びそれら凹部３８の間の領域を流れてきた空調空気の両方が、流入部５３を通じて第１居室１４Ａに流れ込みやすくなっている。
【００５３】
次に、全館空調システムの電気的な構成について、図１のブロック図を参照しつつ説明する。
【００５４】
全館空調システムは、制御手段としてのホームサーバ６１を有している。ホームサーバ６１は、ＣＰＵや各種メモリ等からなるマイクロコンピュータを含んで構成されており、例えば第１居室１４Ａの内壁面に取り付けられている。
【００５５】
ホームサーバ６１には、居室１４Ａ〜１４Ｄに人がいることを検出する人検出手段としての人感センサ６２と、人により操作されるリモコン等の操作装置６３とが接続されている。人感センサ６２は居室１４Ａ〜１４Ｄのそれぞれに設けられており、それら居室１４Ａ〜１４Ｄに人がいることを個別に検出し、検出信号をホームサーバ６１に対して出力する。操作装置６３は、空調設備について、冷房運転や暖房運転、目標温度などを設定することが可能となっており、設定された内容に応じた信号をホームサーバ６１に出力する。
【００５６】
ホームサーバ６１には、空調室内機２１と各流入ファン５４とが接続されており、指令信号を出力することで空調室内機２１及び各流入ファン５４の動作制御を行う。ホームサーバ６１は、例えば、居室１４Ａ〜１４Ｄの全てを対象として空調を行う場合、空調室内機２１等の空調設備に空調運転を行わせるとともに、各流入ファン５４をそれぞれ駆動させる。
【００５７】
吹出部５１から廊下１５に吹き出された空調空気は、ある程度の流速を持った状態で上側天井部３５の天井面に沿って流れて層流を形成した状態となり、それによって、廊下１５の長手方向に沿って第１居室１４Ａの流入部５３にまで到達しやすくなっている。この場合、空調空気は、平面視において折り上げ領域３６の全体に行き渡りやすくなっているため、各流入ファン５４の駆動に伴って各流入部５３のそれぞれから居室１４Ａ〜１４Ｄに供給されることになる。そして、空調空気の供給に伴って居室１４Ａ〜１４Ｄの空気はそれぞれの流出部５５から流れ出し、廊下１５の床面に沿って流れることで還気部５２から空調室内機２１に取り込まれる。以上のようにして、居室１４Ａ〜１４Ｄを対象とした全館空調が行われる。
【００５８】
また、ホームサーバ６１は、居室１４Ａ〜１４Ｄのうち人がいる居室を対象として空調を行うことが可能になっている。ホームサーバ６１は、人感センサ６２の検出信号に基づいて居室１４Ａ〜１４Ｄのそれぞれについて人の有無を判定し、人がいない居室を空調対象とせず、人がいる居室を空調対象とする。そして、空調設備に空調運転を行わせるとともに、空調対象とした居室の流入ファン５４を駆動させる。
【００５９】
例えば、第２居室１４Ｂに人がいる場合、ホームサーバ６１は、第２居室１４Ｂの流入ファン５４を回転させることで空調空気を廊下１５から第２居室１４Ｂに供給させる。この場合、第１居室１４Ａ、第３居室１４Ｃ及び第４居室１４Ｄの各流入ファン５４は回転させないため、それら居室１４Ａ，１４Ｃ，１４Ｄには空調空気が流れ込みにくくなっている。また、第２居室１４Ｂと第４居室１４Ｄとにおいては、それぞれの流入部５３同士が廊下１５を挟んで対向する位置にあるが、それぞれの流出部５５同士は対向する位置にはない。このため、第２居室１４Ｂにおいて、流入部５３からの空調空気の流れ込みに伴って流出部５５から流出した空気が、そのまま第４居室１４Ｄの流出部５５から第４居室１４Ｄに流れ込むということを抑制できる。
【００６０】
なお、通常時は全館空調として、全ての流入部５３について流入ファン５４を低回転で駆動させておき、空調対象とされた居室の流入ファン５４の駆動状態を低回転から高回転に移行させてもよい。また、この場合、空調対象とされていない居室の流入ファン５４については低回転からさらに回転数を低下させてもよい。
【００６１】
ホームサーバ６１が空調室内機２１を暖房運転させた場合、吹出部５１からは暖かい暖房空気が吹き出される。この場合、暖房空気は上昇しやすいため、上側天井部３５の天井面に沿って流れる暖房空気が層流になり、下側天井部３４よりも下方に向けて拡散されるということが生じにくく、吹出部５１からの吹き出し量に対する流入部５３からの居室１４Ａ〜１４Ｄへの供給量の割合が高くなる。したがって、廊下天井３１の近傍領域を暖房空気の流路として利用する構成においては、仮に、廊下天井３１が折り上げ領域３６を有していなくても、居室１４Ａ〜１４Ｄの暖房効率を高い状態で保持することが可能となる。
【００６２】
一方、ホームサーバ６１が空調室内機２１を冷房運転させた場合、吹出部５１からは冷たい冷房空気が吹き出される。この場合、冷房空気は流下しやすいため、上側天井部３５の天井面に沿って流れる冷房空気が層流になりにくく、下側天井部３４よりも下方に向けて拡散しやすいと考えられる。これに対して、折り上げ領域３６における下方への開放側は下側天井部３４により狭められているため、冷房空気が下方に向けて拡散することが下側天井部３４により抑制され、その結果、吹出部５１からの吹き出し量に対する流入部５３からの居室１４Ａ〜１４Ｄへの供給量の割合が低下することが抑制される。したがって、廊下天井３１の近傍領域を冷房空気の流路として利用する場合でも、居室１４Ａ〜１４Ｄの冷房効率が低下することを抑制できる。
【００６３】
以上詳述した本実施形態によれば、以下の優れた効果が得られる。
【００６４】
空調室内機２１から居室１４への空調空気の輸送に廊下１５の内部領域が用いられているため、廊下１５や居室１４の天井裏空間に居室１４ごとに空調ダクトを設置する必要がない。したがって、天井裏空間を拡張することにより廊下１５や居室１４などの居住空間が狭くなることを回避できる。しかも、吹出部５１から吹き出された空調空気が廊下１５の天井面に沿って流れ、そのまま流入部５３を通じて居室１４に流れ込むため、空調空気が廊下１５の内部領域の全体には拡散しにくくなっている。このため、空調空気による空調効果が廊下１５に付与されて居室１４での空調効率に低下するということを抑制できる。以上により、居室１４への空調空気の輸送に空調ダクトを用いなくても、複数の居室１４を好適に空調することが可能となる。
【００６５】
また、本来であれば、居室１４Ａ〜１４Ｄには温度調節された空調空気を輸送するのに空調ダクトが必要だが、空調ダクトを使わずに居室１４Ａ〜１４Ｄに空調空気を輸送できるため、プランニングの制約や、見た目の印象（圧迫感）に及ぼす影響を小さくできる。
【００６６】
案内手段としての下側天井部３４の側面により、上側天井部３５の天井面に沿って流れる空調空気が案内されるため、その空調空気を流入部５３に流入させやすくなっており、それによって、居室１４での空調効率を高くすることができる。しかも、空調空気が廊下１５の天井面に沿って流れる構成では、その空調空気を案内する案内手段は廊下１５の天井寄りの領域に設けられていればよいため、人が廊下１５を通る際に案内手段としての下側天井部３４が支障になるということを抑制できる。つまり、下側天井部３４により廊下１５使い勝手が低下することを抑制できる。
【００６７】
下側天井部３４及び上側天井部３５により折り上げ領域３６が形成されているため、上側天井部３５の天井面に沿って流れる空調空気の拡散を抑制できる。また、廊下１５においては、人が下側天井部３４よりも下方の領域を通ることになるため、折り上げ領域３６における空調空気の層流が人の存在により乱されることを抑制できる。したがって、空調空気が流入部５３を通じて居室１４に流入しやすくなり、その結果、居室１４の空調効率が低下することを抑制できる。
【００６８】
吹出部５１が下側天井部３４よりも高い位置に配置されているため、吹出部５１は折り上げ領域３６の内部に空調空気を直接吹き出すことができる。これにより、空調空気が折り上げ領域３６において上側天井部３５の天井面に沿って流れやすい構成を実現できる。また、この場合、吹出部５１が下側天井部３４よりも低い位置に配置されている場合に比べて、吹出部５１から吹き出された空調空気が上側天井部３５の天井面に当たる角度を小さくすることができる。この場合、空調空気が上側天井部３５の天井面に当たってその勢いで下側天井部３４の下方に拡散するということを抑制できる。
【００６９】
流入部５３が下側天井部３４よりも高い位置に配置されているため、折り上げ領域３６を流れてきた空調空気がそのまま流入部５３を通じて居室１４に流れ込みやすくなっている。しかも、流入部５３には流入ファン５４が設けられているため、流入ファン５４を駆動させることで流入部５３に流れ込む空調空気の量を増加させることができる。
【００７０】
上側天井部３５と下側天井部３４との間に凹部３８が設けられているため、折り上げ領域３６において凹部３８内を流れる空調空気が下側天井部３４の天井面よりも下方に向けて拡散することを下側天井部３４により抑制できる。しかも、吹出部５１からは、凹部３８の内部領域に向けて空調空気が吹き出されるため、その空調空気が凹部３８内を流れやすくなっている。特に、空調空気が冷房空気である場合、冷房空気は流下しやすいため、その冷房空気の流下を下側天井部３４により抑制することは、居室１４の冷房効率を高める上で効果的である。
【００７１】
廊下１５においては、凹部３８内に照明器具２５を設置することで間接照明を構築できる。この場合、凹部３８の内部を空調空気を流すための専用領域とするのではなく、空調空気を流すためのスペース、及び間接照明を構築するためのスペースの両方として利用することになる。
【００７２】
折り上げ領域３６において凹部３８の内周面は、板材により形成された板面とされているため、凹部３８の内側に野縁などの天井下地材が露出している構成に比べて、凹部３８内を空調空気が流れやすくなっている。
【００７３】
吹出部５１及び流入部５３が廊下１５の上側天井部３５の天井面付近に配置されている構成において、還気部５２及び流出部５５が廊下１５の床面付近に配置されているため、吹出部５１から吹き出された空調空気を廊下１５の天井面に沿って居室１４に供給し、居室１４の空気を廊下１５の床面に沿って還気として取り込みやすくなっている。したがって、全館空調を行う際に空調空気が循環しやすくなっている。
【００７４】
［他の実施形態］
本発明は上記各実施形態の記載内容に限定されず、例えば次のように実施されてもよい。
【００７５】
（１）上記実施形態では、下側天井部３４の側面に凹部３８が設けられていたが、図５に示すように、凹部３８は設けられていなくてもよい。この場合、廊下１５の幅寸法（廊下１５を挟んで対向する間仕切壁１１の離間距離）は、下側天井部３４の天井面よりも上方部分が下方部分よりも小さくなっており、凹部３８が設けられている構成に比べて、折り上げ領域３６が小さくなっている。これにより、空調空気が上側天井部３５の天井面に沿って水平方向に拡散することを抑制でき、その結果、空調空気が流入部５３に流れ込みやすくなる。
【００７６】
流入部５３は、下側天井部３４の天井面よりも低い位置に設けられていてもよい。ここで、上側天井部３５に沿って流れてくる空調空気は、折り上げ領域３６から流下することが予想され、その流下した空調空気は下側天井部３４の天井面に沿って流れることになる。このため、流入部５３が下側天井部３４の下方に配置されていても、その流入部５３を通じて空調空気を居室１４Ａ〜１４Ｄに流れ込ませることは可能である。
【００７７】
廊下１５の周縁部においては、下側天井部３４が設置されていない非設置部分があってもよい。また、流出部５５の通気孔は、ドア１７ではなく間仕切壁１１を直接貫通していてもよい。
【００７８】
吹出部５１は、廊下天井３１に設けられていてもよい。例えば、吹出部５１が廊下天井３１の上側天井部３５に設けられている構成とする。この場合でも、吹出部５１は、空調空気を上側天井部３５の天井面に沿って流れる向きで吹き出すことが好ましい。また、吹出部５１は、下側天井部３４の天井面や側面に設けられていてもよい。さらに、吹出部５１は、下側天井部３４に沿って流れる向きで空調空気を吹き出す構成とされていてもよい。これらの場合、空調室内機２１は天井裏空間や壁内空間に設置されていてもよい。
【００７９】
（２）上記実施形態では、廊下天井３１の下側天井部３４の天井面が居室天井４１の天井面よりも低い位置に配置されていたが、下側天井部３４の天井面は、居室天井４１の天井面と同じ高さ位置又はそれよりも高い位置に配置されていてもよい。例えば、図６に示すように、下側天井部３４の天井面が居室天井４１の天井面と同じ高さ位置に配置され、上側天井部３５の天井面が居室天井４１の天井面よりも高い位置に配置された構成とする。この構成では、間仕切壁１１が下側天井部３４の天井面より上方には延びていないため、間仕切壁１１を貫通する流入部５３は下側天井部３４の下方位置に配置されている。
【００８０】
下側天井部３４とは別に、廊下天井３１の天井面に沿って流れる空調空気が流下することを規制する規制手段が設けられていてもよい。例えば、規制手段として膜状の規制シート７１が、廊下１５を挟んで対向する間仕切壁１１に架け渡されるように設けられていてもよい。この場合、規制シート７１は流入部５３及び吹出部５１よりも低い位置に配置されており、吹出部５１から吹き出された空調空気は、廊下天井３１と規制シート７１とで上下に挟まれた領域を流れることになる。これにより、空調空気が流入部５３から居室１４Ａ〜１４Ｄに流れ込みやすい構成を実現できる。
【００８１】
なお、規制シート７１は透光性を有していることが好ましい。この場合、例えば規制シート７１よりも高い位置に照明器具２５が設けられていても、照明器具２５からの光が規制シート７１を通じて下方を照らすことが可能となる。
【００８２】
（３）上記実施形態では、下側天井部３４が間仕切壁１１から側方に向けて突出しているが、下側天井部３４は上側天井部３５から下方に向けて突出していてもよい。この構成では、下側天井部３４が廊下１５の幅方向において中間位置に設けられており、下側天井部３４の両側に上側天井部３５が配置されている。この場合、下側天井部３４の側面と間仕切壁１１との間が折り上げ領域３６とされる。
【００８３】
（４）流入ファン５４は、流入部５３ではなく廊下１５に設けられていてもよい。例えば、流入ファン５４が折り上げ領域３６において上側天井部３５の天井面に取り付けられている構成とする。この場合でも、流入ファン５４が駆動することで、空調空気が流入部５３に向けて強制的に流されることになり、流入部５３を通じて居室１４Ａ〜１４Ｄに流れ込みやすくなる。
【００８４】
（５）廊下１５が複数の廊下部に分岐している場合、空調空気を案内する案内手段は、空調空気の案内先を振り分ける振分手段を有していてもよい。例えば、廊下１５が、第１廊下部８１と、その第１廊下部８１から分岐した第２廊下部８２とを有しており、吹出部５１はそれら廊下部８１，８２の分岐部分に向けて空調空気を吹き出す位置に配置されている構成とする。この構成では、吹出部５１から吹き出された空調空気は、分岐部分を介して廊下部８１，８２の少なくとも一方に流れ込むようになっている。
【００８５】
例えば、図７（ａ）に示す構成では、下側天井部３４（折り上げ領域３６）が廊下部８１，８２に沿って延びており、空調空気の流れる向きを切り替える切替部材８３が、振分手段として廊下部８１，８２の分岐部分において折り上げ領域３６に設けられている。切替部材８３は、折り上げ領域３６における通気を遮断することが可能な通気遮断部材であり、空調空気が第１廊下部８１に流れ込むことを規制し、第２廊下部８２に流れ込むことを規制しない第１規制状態と、空調空気が第２廊下部８２に流れ込むことを規制し、第１廊下部８１に流れ込むことを規制しない第２規制状態とに移行可能になっている。
【００８６】
ここで、第１廊下部８１が第１居室１４Ａに通じており、第２廊下部８２が第２居室１４Ｂに通じている構成であれば、切替部材８３が第１規制状態にある場合には、吹出部５１から吹き出された空調空気が第１廊下部８１を通じて第１居室１４Ａに流れ込み、それによって、第１居室１４Ａの空調が行われる。また、切替部材８３が第２規制状態にある場合には、空調空気が第２廊下部８２を通じて第２居室１４Ｂに流れ込み、それによって、第２居室１４Ｂの空調が行われる。
【００８７】
なお、切替部材８３が、空調空気が第１廊下部８１及び第２廊下部８２のいずれに流れ込むことも規制しない状態に移行可能であってもよい。この場合、第１廊下部８１及び第２廊下部８２の両方に空調空気が流れ込むため、第１居室１４Ａ及び第２居室１４Ｂの両方を対象として空調を行うことができる。また、下側天井部３４（折り上げ領域３６）は設けられていなくてもよい。この場合、切替部材８３が、廊下１５における天井面側の領域について通気を遮断することが可能であればよい。
【００８８】
図７（ｂ）に示す構成では、下側天井部３４（折り上げ領域３６）が設けられておらず、電気モータを含んで構成された送風ファン８４が第１廊下部８１及び第２廊下部８２のそれぞれに設けられている。この場合、送風ファン８４が駆動された方の廊下部に空調空気が流れ込むことになり、駆動させる送風ファン８４を選択することが、空調空気を廊下部８１，８２（空調を行う居室）に振り分けることになる。なお、送風ファン８４は案内手段に含まれる。
【００８９】
第１廊下部８１と第２廊下部８２との分岐部分には、空調空気が第１廊下部８１側及び第２廊下部８２側に流れ込みやすくする促進部材８５が設けられていてもよい。促進部材８５は、分岐部分における吹出部５１と対向する間仕切壁１１の壁面に取り付けられており、第１廊下部８１と第２廊下部８２との境界部に沿って吹出部５１に向けてテーパ状に突出している。促進部材８５のテーパ面は凹むように湾曲しており、吹出部５１から促進部材８５に向けて流れてきた空調空気は、促進部材８５の側面であるテーパ面に沿って第１廊下部８１又は第２廊下部８２に案内される。なお、促進部材８５は案内手段に含まれる。
【００９０】
促進部材８５は、廊下１５の天井面及び壁面の両方に対して取り付けられており、天井面寄りの領域に配置されている。これにより、廊下１５において促進部材８５が人の歩行の支障になることを回避できる。また、促進部材８５は、図７（ａ）のように廊下１５に折り上げ領域３６が形成されている構成においては、その折り上げ領域３６内に設けられていることが好ましい。この場合、折り上げ領域３６内を上側天井部３５の天井面に沿って流れてくる空調空気が、促進部材８５により第１廊下部８１及び第２廊下部８２に案内されることになる。
【００９１】
また、促進部材８５は、水平方向に直角に曲がった曲り部分を有している廊下１５において、曲り部分の外側の壁面（間仕切壁１１の入隅部分）に取り付けられていてもよい。この場合、促進部材８５のテーパ面は、曲り部分の外側の入隅部分を面取りした状態になっており、空調空気は促進部材８５のテーパ面に沿って流れやすくなる。
【００９２】
（６）下側天井部３４の側面に設けられた凹部３８は、上側天井部３５の天井面から下方に離間した位置に配置されていてもよい。この場合でも、凹部３８内に向けて吹き出された空調空気は、凹部３８から側方に流れ出ることで上側天井部３５の天井面に沿って流れることになる。また、凹部３８には、照明器具２５が設置されていなくてもよい。
【００９３】
（７）上記実施形態では、吹出部５１は、空調空気を廊下天井３１の天井面に沿って流れるように吹き出す位置に設けられていたが、空調空気を廊下１５の床面に沿って流れるように吹き出す位置に設けられていてもよい。例えば、吹出部５１が間仕切壁１１における床面付近、又は床部に設けられている構成とする。この構成では、吹出部５１と同様に、流入部５３が間仕切壁１１における床面付近、又は床部に設けられており、還気部５２及び流出部５５が間仕切壁１１における天井面付近、又は廊下天井３１に設けられている。この場合、吹出部５１から冷房空気が吹き出されることで、その冷房空気は廊下１５の床面に沿って流れて流入部５３から居室１４Ａ〜１４Ｄに流入し、それによって、居室１４Ａ〜１４Ｄの冷房が行われる。同様に、吹出部５１から暖房空気が吹き出されることで、居室１４Ａ〜１４Ｄの暖房が行われる。
【００９４】
また、空調室内機２１においては、空調ファンが逆回転可能であり、空調ファンが逆回転することで空調空気が還気部５２を通じて吹き出され、廊下１５から還気が吹出部５１を通じて取り込まれる構成としてもよい。この構成では、居室１４Ａ〜１４Ｄにおいては、流入部５３に加えて流出部５５にも流入ファン５４が設けられており、空調ファンが逆回転された場合には、流出部５５の流入ファン５４が、廊下１５の床面に沿って流れてきた空調空気を居室１４Ａ〜１４Ｄに流入させる向きで回転される。
【００９５】
（８）吹出部５１から吹き出された空調空気が廊下天井３１の天井面に沿って流れる構成は、全館空調システムに適用されていなくてもよい。例えば、１つの居室１４だけを空調対象とし、そのための空調空気を廊下１５から流入部５３を通じて居室１４に供給する構成としてもよい。
【符号の説明】
【００９６】
１０…建物、１１…間仕切壁、１４…居室、１５…廊下、２１…空調設備を構成する空調装置、３４…案内手段としての下側天井部、３５…上側天井部、３８…凹部、５１…吹出部、５２…還気部、５３…流入部、５４…流入ファン、５５…流出部、８１…第１廊下部、８２…第２廊下部、８３…案内手段及び振分手段としての切替部材、８４…案内手段及び振分手段としての送風ファン、８５…案内手段としての促進部材。
【図１】
2014119196.tif 000003
【図２】
2014119196.tif 000004
【図３】
2014119196.tif 000005
【図４】
2014119196.tif 000006
【図５】
2014119196.tif 000007
【図６】
2014119196.tif 000008
【図７】
2014119196.tif 000009